(57)【特許請求の範囲】
【請求項１】
側筒を具えたケース本体と、該ケース本体の側筒内周に回転自在に装着され上部に操作筒部を具え、下端に螺合片を設けた回転操作体と、
回転操作体の螺合片と螺合する右ねじを外周面に螺設し、内周面に左ねじを螺設した筒体を具え、ケース本体に回転不能、上下動自在に装着された中継筒と、
中継筒内周の左ねじと螺合する左ねじを設けたねじ筒と、回転操作体内周に設けた縦条に係合する凹部を設けた保持板を具え、回転操作体とともに回転される受皿体と、
ケース本体に取着された蓋体とを備えた棒状化粧料操出し容器であって、
ケース本体の側筒上端部の一定範囲に蓋体の取付台が突設されており、
回転操作体は、その操作筒部がケース本体の側筒上端に載置され、ケース本体の上端から露出するようにケース本体に装着されており、
蓋体が、回転操作体の係止筒に遊嵌する係止溝が刻設された開口が穿設されたキャップ基体と、ヒンジ機構を介して連結されたヒンジキャップとからなり、
キャップ基体の取付片がケース本体の取付台に取着されていることを特徴とする棒状化粧料操出し容器。
【請求項２】
ヒンジ機構が、蝶番と蝶番の両側に配設された波形の弾性連結板であることを特徴とする請求項１記載の棒状化粧料操出し容器。
【請求項３】
ヒンジ機構が、ヒンジ取付部の両側に対称的に配設された一対の連結板であることを特徴とする請求項１記載の棒状化粧料操出し容器。
【発明の詳細な説明】
【０００１】
【発明の属する技術分野】
本発明は、口紅、リップクリーム、スティックアイシャドー、スティックファンデーション等の棒状化粧料の繰出し容器に関するもので、特に、片手で蓋の開閉及び棒状化粧料の繰出しが可能な棒状化粧料の繰出し容器に関する。
【０００２】
【従来の技術】
ヒンジキャップを用いて容器の上端を被蓋するようにした棒状化粧料繰出し容器は、例えば、特開２００１−１９０３２７号公報、特開平１１−４６８５２号公報に記載されているように従来より知られている。
【０００３】
しかしながら、上記各公報記載の繰出し容器は、ケース本体（前者では本体４０、後者では把持筒Ｃ）を把持して繰出し機構の操作部（前者では筒体１０、後者では回動筒Ａ）を回転させることによって、化粧料を繰出すようにしていた。
そのため、口紅等の繰出し操作は、両方の手を使わなければならなかった。
とくに、前者の繰出し容器では、ヒンジキャップの開閉と本体４０から筒体１０の繰出し、さらに回転操作と多くの操作が必要であり、操作が簡単でないという問題点があった。
また、その構造も簡単ではなく、多くの部品を必要とするという問題点もあった。
【０００４】
また、上記の問題を解決して、操出しのための操作部を本体ケースの上端近くに配設し、ヒンジキャップの開閉と繰出し操作を片手で行うようにした口紅等の容器も知られている（実開昭５８−１４５１２１号公報参照）が、ケース本体（外筒１）が大きくなく、収納される口紅量が少ないという問題点があった。
また、蓋を取付ける蝶番は、連結片を外筒と蓋体の双方で蝶番ピンを用いて連結するようにしており、開蓋時に、安定して保持することができないという問題点があった。
【０００５】
【発明が解決しようとする課題】
本発明は、上記問題を解決することを課題とし、蓋の開閉、口紅等の繰出し操作を片手で行うことができるとともに、操作筒の僅かの回転操作によって所要の操出し量を得ることができ、棒状化粧料の収納容量を多くするようにした棒状化粧料の繰出し容器を提供することを目的とする。
【０００６】
【課題を解決するための手段】
本発明は、上記の課題を解決するため、棒状化粧料操出し容器として、側筒を具えたケース本体と、該ケース本体の側筒内周に回転自在に装着され上部に操作筒部を具え、下端に螺合片を設けた回転操作体と、回転操作体の螺合片と螺合する右ねじを外周面に螺設し、内周面に左ねじを螺設した筒体を具え、ケース本体に回転不能、上下動自在に装着された中継筒と、中継筒内周の左ねじと螺合する左ねじを設けたねじ筒と、回転操作体内周に設けた縦条に係合する凹部を設けた保持板を具え、回転操作体とともに回転される受皿体と、ケース本体に取着された蓋体とを備えた棒状化粧料操出し容器であって、ケース本体の側筒上端部の一定範囲に蓋体の取付台が突設されており、回転操作体は、その操作筒部がケース本体の側筒上端に載置され、ケース本体の上端から露出するようにケース本体に装着されており、蓋体が、回転操作体の係止筒に遊嵌する係止溝が刻設された開口が穿設されたキャップ基体と、ヒンジ機構を介して連結されたヒンジキャップとからなり、キャップ基体の取付片がケース本体の取付台に取着されていることを特徴とする構成を採用する。
【０００７】
ヒンジ機構の具体的な実施例として、ヒンジ機構が、蝶番と蝶番の両側に配設された波形の弾性連結板であることを特徴とする構成、または、ヒンジ機構が、ヒンジ取付部の両側に対称的に配設された一対の連結板であることを特徴とする構成を採用する。
【０００８】
【発明の実施の形態】
次に、本発明の実施形態について、図面を参照して説明する。
図１，２において、Ａはケース本体、Ｂはケース本体Ａに回転自在に装着された回転操作体、Ｃは回転操作体Ｂの回転により上下動される中継筒、Ｄは受皿体、Ｅはケース本体Ａの上端に取着された蓋体である。
【０００９】
ケース本体Ａは、側筒１と底壁２とからなり、側筒１の上端には、側筒１外周より一定範囲にわたって突出した取付台３が突設され、取付台３の上面には、取付孔４が穿孔されている。
側筒１の内周には、中間部に膨出環５が設けられ、膨出環５の下方には、複数の縦条６が突設されている。
【００１０】
回転操作体Ｂは、ケース本体Ａの側筒１内に嵌挿される回転筒１０と側筒１の上端に係合し、側筒１外周より突出する操作筒部１１とを具えている。
回転筒１０の下方には、側筒１内周の膨出環５に係合する縮径部１２が連設されており、該縮径部１２下端の外周には、膨出環５の下面に係合する係止環１３が突設され、下端内周には、螺合片１４が設けられている。
【００１１】
操作筒部１１の表面には、ローレット１５が刻設されており、上方には、膨出部を上端に設けた係止筒１６が立設されている。
回転筒１０の内周には、操作筒部１１の上端に達する複数の縦条１７が突設されている。
【００１２】
図３に示すように、中継筒Ｃは、周面に右ねじ２０を螺設した筒体２１と筒体２１の下端に設けられたフランジ２２とからなり、フランジ２２には、ケース本体Ａの側筒１内周に突設された縦条６が嵌挿される凹条２３が設けられている。
中継筒Ｃの内周面の上端には、１周の左ねじ２４が螺設されている。
【００１３】
受皿体Ｄは、保持片３０を突設した保持板３１と保持板３１に連設されたねじ筒３２とからなっている。
保持板３１の外周には、回転操作体Ｂの縦条１７に嵌挿される凹部３３が設けられており、ねじ筒３２には、左ねじ２４に係合する左ねじ３４が螺設されている。
【００１４】
図２に示すように、蓋体Ｅは、取付片４０を垂設したキャップ基体４１と、該キャップ基体４１にヒンジ機構４２を介して連設されたヒンジキャップ４３とからなっている。
取付片４０は、回転操作体Ｂの操作筒部１１外周より僅かに離れて位置するよう配設され、下端面には、ケース本体Ａ取付台３の取付孔４に嵌挿される挿込みピン４４が穿孔されている。
【００１５】
キャップ基体４１には、回転操作体Ｂの内周と同径の開口４５が穿設され、開口４５の上端周辺に沿って、上端を膨出部とした係止筒４６が立設されている。開口４５の下端には、回転操作体Ｂの係止筒１６に遊嵌する係止溝４７が刻設されている。
【００１６】
ヒンジ機構４２は、キャップ基体４１とヒンジキャップ４３を連結する蝶番４８と、その両側に配設された波形の弾性連結板４９とからなっている。
波形の弾性連結板４９は、ヒンジキャップ４３の開蓋時に、ヒンジキャップを開方向に弾撥し、開位置を強固に維持するよう作用するものである。
ヒンジキャツプ４３は、頂壁５０と側壁５１とからなり、ヒンジ機構４２の反対側には、つまみ５２が設けられている。
【００１７】
次に、本繰出し容器の使用態様と作用効果について説明する。
使用にあたって、片手でケース本体Ａの操作筒部１１近くを持ち、ヒンジキャップ４３のつまみ５２に親指をかけてヒンジキャップ４３を開く。
次いで、ケース本体Ａを持ったまま、親指と人差し指で操作筒部１１を時計方向に廻動させると、棒状化粧料を操出すことができる。
【００１８】
その際、図４に示すように、中継筒Ｃは、フランジ２２の凹条２３が縦条６に係合して、回転不能とされているので、回転操作体Ｂの回転に応じて、螺合片１４が中継筒Ｃの右ねじ２０に螺合して中継筒Ｃを上昇させる。
同時に、受皿体Ｄも回転させられ、受皿体Ｄの左ねじ３４が回転不能の中継筒Ｃの左ねじ２４との螺合によって、受皿体Ｄが上昇させられる。
したがって、操作筒部１１の回動に応じて、中継筒Ｃの上昇と受皿体Ｄの上昇が重なった上昇となり、操作筒部１１の少ない回動でも充分な操出し量を得ることができる。
使用後に反時計方向に廻動させると、受皿体Ｄを下降させることができる。
【００１９】
また、中継筒Ｃを用いることによって、受皿のストロークを長くすることができるので、操出し容器の長さが中継筒Ｃの長さだけ長くなり、操出し容器の収納容量を大きくできる。
【００２０】
次に、第２の実施形態について、図面を参照して説明する。
本実施形態は、蓋体のヒンジ機構を変更したもので、ケース本体内の構成は同一であるので、同一の符号を付して図示して説明を省略し、蓋体のみについて説明する。
【００２１】
図５，６において、蓋体Ｅａは、取付片６０を垂設したキャップ基体６１と、該キャップ基体６１にヒンジ機構６２を介して連結されたヒンジキャップ６３とからなっている。
キャップ基体６１には、前記実施形態と同様に開口６４が穿孔され、その上端周縁に沿って、係止筒６５が立設されている。
キャップ基体６１とヒンジキャップ６３のヒンジ取付部６１ａ，６３ａは台形となっており、対向するそれぞれの傾斜辺を結ぶ一対の連結板６６によって連結されている。
【００２２】
次に、本実施形態の作用効果について説明すると、使用にあたっては、前記第１実施形態と同様の作用効果をもたらすことができる。
さらに、ヒンジ機構６２が一対の連結板６６によって形成されているから、閉蓋時に、ヒンジ部分が平坦な形状となり、保持時に突出部分が手指にあたって不快感を与えることがないという格別の効果をもたらすことができる。
【００２３】
【発明の効果】
本発明は、上記のように構成されているから、次の効果を奏する。
本発明の構成を採用することによって、口紅等の操出し操作、蓋の開閉も片手で行うことができ、操作筒のわずかな廻動で、所要の操出し量を得ることができるので、棒状化粧料操出し容器の操作性を一層向上させることができた。
また、中継筒を用いることによって受皿のストロークを長くすることができるので、口紅等の収納容量を増やすことができた。
【図面の簡単な説明】
【図１】本発明棒状化粧料操出し容器の第１実施形態の一部断面正面図である。
【図２】蓋体を取り外した棒状化粧料操出し容器の分解斜視図である。
【図３】回転操作体と中継筒、受皿体の関係をしめす説明図である。
【図４】操出し操作の説明図である。
【図５】第２実施形態の棒状化粧料操出し容器の斜視図である。
【図６】開蓋時の棒状化粧料操出し容器の斜視図である。
【符号の説明】
Ａ    ケース本体
Ｂ    回転操作体
Ｃ    中継筒
Ｄ    受皿体
Ｅ    蓋体
１    側筒
２    底壁
３    取付台
４    取付孔
５    膨出環
６    縦条
１０  回転筒
１１  操作筒
１３  係止環
１７  縦条
２０  右ねじ
２１  筒体
２２  フランジ
２３  凹条
２４  左ねじ
３１  保持板
３２  ねじ筒
３３  凹部
３４  左ねじ
４０、６０  取付片
４１、６１  キャップ基体
４２、６２  ヒンジ基体
４３、６３  ヒンジキャップ
４５、６４  開口
４６、６５  係止筒
４８        蝶番
４９        弾性板
６６        連結板
【図１】
0003996373.tif 000002
【図２】
0003996373.tif 000003
【図３】
0003996373.tif 000004
【図４】
0003996373.tif 000005
【図５】
0003996373.tif 000006
【図６】
0003996373.tif 000007